(57)【要約】【課題】製造コストが低減された表示装置及び表示装置の製造方法を提供する。【解決手段】作業者は、透光板１２の一面に設けられている指標４１を用いて、養生部材５を容易に位置決めし、透光板１２の前面に取り付ける。次に、作業者は、透光板１２の前面とカバー１１の内周縁部の後面との間の空隙Ｓに、充填剤２１を充填する。このとき、食み出た充填剤２１は養生部材５に付着する。その後、作業者は、透光板１２から養生部材５を取り外す。指標４１は印刷によって容易に設けられる。以上の結果、位置決めの労苦を省いて表示装置１の製造コストを低減することができる。【選択図】図９
2016009073.tif 000002
【特許請求の範囲】
【請求項１】
表示部と、
該表示部を正面側から覆う透光板と、
該透光板の周縁部を正面側から覆うカバーとを備える表示装置において、
前記透光板の正面と前記カバーの内周縁部の背面との間の空隙の少なくとも一部には充填剤が充填してあり、
前記透光板の一面には前記充填剤の充填位置に対応する位置を示す指標が設けてあることを特徴とする表示装置。
【請求項２】
前記表示部は、表示領域及び該表示領域を囲繞する非表示領域を有し、
前記透光板の周縁部の一面には、前記非表示領域の内周縁部を覆う枠状遮光部が、前記透光板の周縁端から離隔して設けられており、
前記指標は、前記枠状遮光部の外縁の少なくとも一部を含んでいることを特徴とする請求項１に記載の表示装置。
【請求項３】
前記表示部は、表示領域及び該表示領域を囲繞する非表示領域を有し、
前記透光板の周縁部の一面には、前記非表示領域を覆う周縁遮光部が設けてあり、
該周縁遮光部には、複数個の切り欠き状部又は開口が形成してあり、
前記指標は、前記切り欠き状部の周縁部又は開口の周縁部を含んでいることを特徴とする請求項１に記載の表示装置。
【請求項４】
前記透光板は多角形状をなし、
前記指標は、前記透光板の少なくとも隅部に対応して配されていることを特徴とする請求項１から３の何れかひとつに記載の表示装置。
【請求項５】
請求項１から４の何れかひとつに記載の表示装置の製造方法において、
前記透光板の一面に前記指標を印刷する工程と、
養生部材を、前記指標を用いて位置決めした上で、前記透光板の正面に取り付ける工程と、
前記透光板の正面を、前記カバーで覆う工程と、
前記透光板の正面と前記カバーの内周縁部の背面との間の空隙に前記充填剤を充填する工程と、
前記養生部材を取り外す工程と
を備えることを特徴とする表示装置の製造方法。
【発明の詳細な説明】
【技術分野】
【０００１】
本発明は、表示部を覆う透光板の周縁部がカバーに覆われている表示装置及び表示装置の製造方法に関する。
【背景技術】
【０００２】
浴室又は野外等に設置される表示装置は、居間又は寝室等に設置される場合よりも多量の水分に曝され易い。故に、表示装置の表示部は水密空間に収容されている（特許文献１参照）。
特許文献１に記載の表示部（文中「表示装置」）は矩形パネル状である。表示部の周縁部は非表示領域であり、表示部の中央部は表示領域である。
表示部の周縁部は矩形枠状の内枠体に囲繞されており、表示部の両面は矩形平板状の透光板に覆われている。そして、内枠体と透光板との間に水密材が配されている。
【０００３】
表示部の正面側を覆う透光板の周縁部には、表示部の非表示領域を覆う遮光部が設けられている（特許文献２参照）。
特許文献２に記載の表示装置（文中「液晶表示装置」）の場合、透光板（文中「保護板」）の周縁部の全周に適幅に亘って遮光部が設けられている。遮光部は、表示装置内外への可視光線の透過を抑制する。この結果、表示装置の内部から外部への光漏れが抑制される上に、また、使用者による表示装置の内部の視認が抑制される。
【先行技術文献】
【特許文献】
【０００４】
【特許文献１】特開２００３−１１４６２３号公報
【特許文献２】特開２０１２−０４７８９５号公報
【発明の概要】
【発明が解決しようとする課題】
【０００５】
水密材を設けるためには、内枠体と透光板との間に接着剤を充填することが考えられる。この場合、充填された接着剤は、固化することによって水密材になる。
【０００６】
しかしながら、接着剤の充填時には、内枠体と透光板との間から接着剤が食み出して透光板に付着することがある。透光板に付着した無用な接着剤は、表示装置の美観を損ねる。
そこで、接着剤の充填前に、例えばマスキングテープを用いて透光板の中央部を養生することが考えられる。内枠体と透光板との間から食み出した接着剤はマスキングテープに付着するので、接着剤の充填後、マスキングテープを剥がせば、透光板に無用な接着剤が付着することはない。
【０００７】
透光板を養生する際には、マスキングテープの正確な位置決めが肝要である。何故ならば、位置決めが不正確であると、透光板に無用な接着剤が付着したり、水密材を正確に配置することができなかったりするからである。しかしながら、透光板自体は何らの目印もない平板である。従って、マスキングテープを正確に位置決めする作業は手間暇が掛かる。このことは、表示装置の製造コストの増大を招く。
【０００８】
本発明は斯かる事情に鑑みてなされたものであり、その主たる目的は、正確な位置決めによって品質が向上した表示装置及び表示装置の製造方法を提供することにある。
【課題を解決するための手段】
【０００９】
本発明に係る表示装置は、表示部と、該表示部を正面側から覆う透光板と、該透光板の周縁部を正面側から覆うカバーとを備える表示装置において、前記透光板の正面と前記カバーの内周縁部の背面との間の空隙の少なくとも一部には充填剤が充填してあり、前記透光板の一面には前記充填剤の充填位置に対応する位置を示す指標が設けてあることを特徴とする。
【００１０】
本発明に係る表示装置は、前記表示部は、表示領域及び該表示領域を囲繞する非表示領域を有し、前記透光板の周縁部の一面には、前記非表示領域の内周縁部を覆う枠状遮光部が、前記透光板の周縁端から離隔して設けられており、前記指標は、前記枠状遮光部の外縁の少なくとも一部を含んでいることを特徴とする。
【００１１】
本発明に係る表示装置は、前記表示部は、表示領域及び該表示領域を囲繞する非表示領域を有し、前記透光板の周縁部の一面には、前記非表示領域を覆う周縁遮光部が設けてあり、該周縁遮光部には、複数個の切り欠き状部又は開口が形成してあり、前記指標は、前記切り欠き状部の周縁部又は開口の周縁部を含んでいることを特徴とする。
【００１２】
本発明に係る表示装置は、前記透光板は多角形状をなし、前記指標は、前記透光板の少なくとも隅部に対応して配されていることを特徴とする。
【００１３】
本発明に係る表示装置の製造方法は、本発明に係る表示装置の製造方法において、前記透光板の一面に前記指標を印刷する工程と、養生部材を、前記指標を用いて位置決めした上で、前記透光板の正面に取り付ける工程と、前記透光板の正面を、前記カバーで覆う工程と、前記透光板の正面と前記カバーの内周縁部の背面との間の空隙に前記充填剤を充填する工程と、前記養生部材を取り外す工程とを備えることを特徴とする。
【発明の効果】
【００１４】
本発明の表示装置及び表示装置の製造方法による場合、指標が設けてあるので、表示装置の製造時に透光板を養生する際、養生部材の正確な位置決めを容易に行なうことができる。また、印刷によって指標を設ける際の位置決めは容易である。以上の結果、位置決めの労苦を省いて表示装置の製造コストを低減することができる。
しかも、養生部材が正確に位置決めされているので、透光板に無用な充填剤が付着する虞がない上に、充填部を正確に配置することができる。以上の結果、表示装置の外観に関する品質を向上させることができる。
【図面の簡単な説明】
【００１５】
【図１】本発明の実施の形態１に係る表示装置が壁に取り付けられている状態を示す斜視図である。
【図２】表示装置の上端部分を略示する断面図である。
【図３】表示装置の下端部分を略示する断面図である。
【図４】表示装置の外観を略示する斜視図である。
【図５】表示装置の外観を略示する側面図である。
【図６】表示装置の構成を略示する分解斜視図である。
【図７】表示装置が備える指標を説明するための正面図である。
【図８】表示装置の製造方法を説明するための模式的な断面図である。
【図９】表示装置の製造方法を説明するための模式的な断面図である。
【図１０】本発明の実施の形態２に係る表示装置が備える指標を説明するための正面図である。
【図１１】本発明の実施の形態３に係る表示装置が備える指標を説明するための拡大正面図である。
【図１２】本発明の実施の形態４に係る表示装置が備える指標を説明するための拡大正面図である。
【発明を実施するための形態】
【００１６】
以下、本発明を、その実施の形態を示す図面に基づいて詳述する。以下の説明では、図において矢符で示す上下、前後、及び左右を使用する。
【００１７】
（実施の形態  １．）
図１は、本発明の実施の形態１に係る表示装置１が壁Ｗに取り付けられている状態を示す斜視図である。
図２及び図３は、壁Ｗに取り付けられている表示装置１の上端部分及び下端部分を略示する断面図である。
図４及び図５は、表示装置１の外観を略示する斜視図及び側面図である。
図６は、表示装置１の構成を略示する分解斜視図である。
図７は、表示装置１が備える指標を説明するための正面図である。
【００１８】
表示装置１は、カバー１１、透光板１２、緩衝材１３、表示部１４、止水部１５、シール部材１６、リアカバー１７、連結部２０、及び充填剤２１を備えている。
表示部１４は、表示装置１の本体である。カバー１１、透光板１２、緩衝材１３、止水部１５、シール部材１６、リアカバー１７、連結部２０、及び充填剤２１は、表示部１４を水分から保護する防水構造を構成している。
【００１９】
まず、表示部１４について説明する。
表示部１４は矩形状をなし、液晶表示パネル１４１、光学シート群１４２、導光板１４３、及び不図示のＬＥＤ基盤等を用いてなる。表示部１４は、上下左右方向中央部に矩形状の表示領域１４ａを有し、表示領域１４ａの周縁部に、表示領域１４ａを囲繞する矩形枠状の非表示領域１４ｂを有している。
【００２０】
次に、防水構造の各部について、透光板１２、カバー１１、連結部２０、充填剤２１、緩衝材１３、止水部１５、リアカバー１７、及びシール部材１６の順に説明する。
透光板１２はガラス製であって、矩形平板状をなし、表示部１４を正面側から覆っている。透光板１２の上下左右方向中央部は、表示部１４の表示領域１４ａと非表示領域１４ｂの一部（具体的には内周縁部）と覆い、透光板１２の周縁部は表示部１４の非表示領域１４ｂの残部を覆っている。
【００２１】
透光板１２の周縁部の後面（一面）には、枠状遮光部３１が設けられている。枠状遮光部３１は、透光板１２の後面に形成されている遮光性塗料層である。枠状遮光部３１の厚みは、透光板１２の厚みに比べると無視できる程度であるので、図２及び図３における枠状遮光部３１の図示は省略している。また、図７においては枠状遮光部３１をハッチングで強調表示してある。
【００２２】
枠状遮光部３１は、矩形枠状である。枠状遮光部３１の上枠、右枠、及び左枠夫々の幅に比べると、下枠は幅広である。枠状遮光部３１は、可視光及び赤外線を遮る。ただし、枠状遮光部３１の下枠の左右方向中央下部には、部分的に、可視光を遮り赤外線を透過する赤外透過部３１１が設けられている。
赤外透過部３１１を透過した赤外線は、表示部に備えられている図示しない受光部が受光する。受光部が受光すべき赤外線は、図示しないリモートコントローラが出力する。
【００２３】
枠状遮光部３１は、表示部１４の非表示領域１４ｂの内周縁部を覆っている。このために、枠状遮光部３１の外縁は、透光板１２の周縁端から離隔配置されて、表示部１４の非表示領域１４ｂに対向配置されている。枠状遮光部３１の内縁は、表示部１４の表示領域１４ａと非表示領域１４ｂとの境界部分に対向配置されている。
枠状遮光部３１は黒色であるが、枠状遮光部３１が十分な遮光性を有しているのであれば、黒色以外の色であってもよい。
【００２４】
カバー１１は非透光性を有し、枠状になしてある。カバー１１は、前面カバー１１１、周縁カバー１１２、及びフランジ１１３を一体に有している。
前面カバー１１１は、縦姿勢の平板状の矩形枠状をなし、透光板１２の周縁部を正面側から覆っている。つまり、前面カバー１１１は、透光板１２を介して表示部１４の非表示領域１４ｂを覆っている。
周縁カバー１１２は、横姿勢の矩形筒状をなし、透光板１２の周縁部及び表示部１４の周縁前部を上下左右方向から覆っている。
フランジ１１３は、周縁カバー１１２の後端部に突設してある。
【００２５】
連結部２０は両面テープを用いてなる。連結部２０は、透光板１２の周縁部の前面（正面）とカバー１１における前面カバー１１１の後面（背面）との間に介在して、カバー１１と透光板１２とを連結している。
連結部２０の幅方向一端部は、透光板１２の周縁端に位置している。
連結部２０は、前面カバー１１１の内周縁部から離隔している。故に、透光板１２の前面とカバー１１における前面カバー１１１の内周縁部の後面との間に、連結部２０の厚みに対応する空隙Ｓが形成されている。
なお、連結部２０は両面テープに限定されず、例えば適宜の厚みを有する接着剤層であってもよい。
【００２６】
充填剤２１は、塗布された接着剤が硬化したものである。充填剤２１は、透光板１２の前面とカバー１１における前面カバー１１１の内周縁部の後面との間の空隙Ｓに充填してある。充填剤２１の内周縁部は、枠状遮光部３１の外縁に対向配置されている。つまり、枠状遮光部３１の外縁は、充填剤２１の内周縁部に対応する位置を示す指標４１として機能する。換言すれば、指標４１は、枠状遮光部３１の外縁を含んでいる。
【００２７】
緩衝材１３は矩形枠状の弾性部材である。緩衝材１３は例えば合成ゴムを用いてなる。緩衝材１３は、透光板１２の周縁部と表示部１４の非表示領域１４ｂとの間に介在している。
【００２８】
止水部１５は、上側止水部材１５１及び下側止水部材１５２を有している。上側止水部材１５１及び下側止水部材１５２夫々の形状は鏡像をなしている。
上側止水部材１５１は、上向きに開口したチャンネル材の両端部を下側へ屈曲させたようなコ字状である。上側止水部材１５１は、表示部１４の上辺部と、左右両辺部夫々の上端部とを上側から覆っている。
下側止水部材１５２は、下向きに開口したチャンネル材の両端部を上側へ屈曲させたようなコ字状である。下側止水部材１５２は、表示部１４の下辺部と、左右両辺部夫々の下端部とを下側から覆っている。
【００２９】
リアカバー１７は非透光性を有し、皿状になしてある。リアカバー１７は、後面カバー１７１、周縁カバー１７２、及びフランジ１７３を一体に有している。後面カバー１７１及び周縁カバー１７２は、皿の底面及び周面に相当する。
後面カバー１７１は、縦姿勢の矩形板状をなし、表示部１４を背面側から覆っている。
周縁カバー１７２は、横姿勢の矩形筒状をなし、表示部１４の周縁後部を上下左右方向から覆っている。
フランジ１７３は、周縁カバー１７２の前端部に突設してある。フランジ１７３は、カバー１１のフランジ１１３に対面配置されている。
【００３０】
シール部材１６は、カバー１１のフランジ１１３とリアカバー１７のフランジ１７３との間に介在している弾性部材である。シール部材１６は、例えば枠状の合成ゴムを用いてなる。
【００３１】
次に、表示装置１の組み立て手順について説明する。
図８及び図９は、表示装置１の製造方法を説明する模式的な断面図である。説明を簡単にするために、図８及び図９に記載の上下左右方向は、図１〜図７に記載の上下左右方向に対応している。
作業者は、透光板１２の後面に枠状遮光部３１を印刷することによって、透光板１２の後面に指標４１を印刷する（図８Ａ参照）。
枠状遮光部３１を印刷する手順は、従来の表示装置が備えるべき透光板に遮光部を印刷する手順と略同様でよい。また、枠状遮光部３１を印刷するために用いられる遮光塗料は、従来の遮光部を印刷するために用いられる遮光塗料と同じ物でよい。
【００３２】
枠状遮光部３１の印刷工程には、公知の印刷機械が用いられる。このとき、枠状遮光部３１の外縁及び内縁は、透光板１２の周縁端から夫々適長離隔するよう、透光板１２の周縁端を基準として自動的に位置決めされる。従って、枠状遮光部３１（延いては指標４１）の位置決めは容易である。
【００３３】
次に、作業者は養生部材５を準備する。本実施の形態の養生部材５は、マスキングテープである。
作業者は、透光板１２の前面に養生部材５を貼り付ける（図８Ｂ参照）。このときに、作業者は、養生部材５の幅方向一端部を枠状遮光部３１の外縁（即ち指標４１）に対向させる。換言すれば、作業者は、指標４１を用いて養生部材５を位置決めする。
養生部材５は、枠状遮光部３１の上枠、下枠、左枠、及び右枠夫々に１本ずつ配される。
なお、養生部材５はマスキングテープに限定されるものではない。養生部材５は、例えば透光板１２の前面を着脱可能に被覆する帯状又はシート状等であればよい。
【００３４】
仮に、指標４１が存在しない場合（例えば透光板１２に従来の遮光部が設けられている場合）、作業者は、透光板１２の周縁端から適長離隔した位置に手作業で目印を設けてから、養生部材５を位置決めする必要がある。作業者にとって、目印を正確に設ける作業は大きな負担である。また、目印を正確に位置決めするためには長時間を要する。
一方、指標４１が存在すれば、作業者が手作業で正確に目印を設ける必要がない分、作業者の負担が軽減される上に、作業時間が短縮される。つまり、指標４１は製造コストの低減に大きく貢献する。
【００３５】
次いで、作業者は連結部２０を用いてカバー１１と透光板１２とを連結した後、透光板１２の前面とカバー１１における前面カバー１１１の内周縁部の後面との間の空隙Ｓに未硬化の充填剤２１を充填する（図９Ａ参照）。 
【００３６】
まず、カバー１１と透光板１２との連結について説明する。
作業者は、透光板１２の周縁部前面に、連結部２０の一面を貼り付ける。このとき、連結部２０の幅方向一端部を、透光板１２の周縁端に合わせる。つまり、透光板１２に対する連結部２０の位置決めは容易である。
透光板１２に連結部２０を貼り付けた後で、作業者は、透光板１２の背面側から、連結部２０の貼り付け状態を目視検査する。
【００３７】
次いで、作業者は、透光板１２の前面をカバー１１の前面カバー１１１で覆う。このために、作業者は、透光板１２の周縁部前面をカバー１１の前面カバー１１１の後面に向けて、連結部２０の他面を前面カバー１１１の後面に貼り付ける。この結果、カバー１１と透光板１２とが連結部２０を介して連結されると共に、透光板１２の前面とカバー１１における前面カバー１１１の内周縁部の後面との間に、連結部２０の厚みに対応する空隙Ｓが形成される。
【００３８】
次に、充填剤２１の充填について説明する。
充填剤２１は、硬化後に防水性を有する接着剤である。作業者は、例えば図示しない市販の接着剤注入器を用いて、充填剤２１を空隙Ｓに注入する。この結果、空隙Ｓに充填剤２１が充填される。このとき、空隙Ｓから充填剤２１が食み出して、養生部材５に付着することがある。
【００３９】
そこで、作業者は充填剤２１の充填後、充填剤２１が完全に硬化してしまう前に、養生部材５を剥がす（図９Ｂ参照）。この結果、無用な充填剤２１が透光板１２の前面に付着する虞はない。
充填剤２１は、連結部２０と共に、カバー１１と透光板１２とを連結する効果を奏する。
【００４０】
充填剤２１の硬化後、作業者は、透光板１２の背面側から、充填剤２１の充填状態を目視検査する。また、透光板１２の正面側から充填剤２１に対する水掛け試験を行ない、透光板１２の背面側から、充填剤２１を越えた浸水の有無を目視検査する。
仮に、透光板１２に従来の遮光部が設けられている場合、連結部２０及び充填剤２１に関して透光板１２の背面側から目視検査を行なうことはできない。
【００４１】
以上のようにして、作業者は、カバー１１と透光板１２とが連結された前側ユニットを得る。
作業者とは、前側ユニットとは別に、後側ユニットを組み立てる。この後側ユニットとは、リアカバー１７の上下方向中央部に表示部１４が収容され、リアカバー１７における表示部１４の上側の空間及び下側の空間に止水部１５の上側止水部材１５１及び下側止水部材１５２が収容されたものである。
【００４２】
次に、作業者は、透光板１２と表示部１４との間に緩衝材１３を配置し、カバー１１及びリアカバー１７のフランジ１１３，１７３の間にシール部材１６を配置して、前側ユニットを後側ユニットに取り付ける。このとき、フランジ１１３，１７３が互いにビス留めされる。
以上の結果、透光板１２及びカバー１１、並びにリアカバー１７に囲繞された水密空間に表示部１４が収容された表示装置１が得られる。表示装置１においては、表示部１４は防水されている。
【００４３】
本実施の形態では、表示装置１は、浴室の壁Ｗに埋め込まれる。
壁Ｗには矩形開口が設けてあり、矩形開口の周縁上辺部及び周縁下辺部に、支持金具６１，６２が取り付けられている。支持金具６１，６２には、表示装置１のフランジ１１３，１７３がビス留めしてある。
表示装置１の周縁部は、防水性を有する化粧部材６３，６３，…によって正面側から覆われている。
なお、表示装置１は、浴室以外に配されてもよい。また、表示装置１は、図示しない壁掛け用金具に掛止される壁掛け式でもよく、又は、図示しないスタンドが取り付けられた据え置き式であってもよい。
【００４４】
以上のような表示装置１は、透光板１２に指標４１が設けてあるので、養生部材５の正確な位置決めを容易に行なうことができる。従って、位置決めの労苦を省いて表示装置１の製造コストを低減することができる。
【００４５】
また、指標４１は、枠状遮光部３１の外縁である。枠状遮光部３１は、従来の遮光部に対応する。故に、指標４１を設けるために、従来の表示装置の構成要素に新たに何かを追加する必要がない。つまり、部材点数を抑制して表示装置１の製造コストを低減することができる。
【００４６】
更に、透光板１２における枠状遮光部３１の外縁と透光板１２の周縁端との間に、遮光性を有するものは存在しない。故に、この部分を通して、前側ユニットの検品を行なうことができる。この結果、歩留まりを向上させて表示装置１の製造コストを低減することができる。
しかも、無用な充填剤２１が透光板１２の前面に付着していないので、表示装置１の外観品位は高い。更に、養生部材５によって充填剤２１が正確に配置されるので、表示装置１の防水性を向上させることができる。
【００４７】
（実施の形態  ２．）
図１０は、本発明の実施の形態２に係る表示装置１が備える指標４２１，４２２を説明するための正面図である。図１０は、実施の形態１の図７に対応する。
本実施の形態の表示装置１は、実施の形態１の表示装置１と略同様の構成である。以下では、実施の形態１との差異について説明し、その他、実施の形態１に対応する部分には同一符号を付してそれらの説明を省略する。
【００４８】
本実施の形態の表示装置１が備える透光板１２には、実施の形態１の指標４１に替えて、各４個の指標４２１，４２１，…及び指標４２２，４２２，…が設けられている。このために、透光板１２には、実施の形態１の枠状遮光部３１に替えて、周縁遮光部３２が設けられている。図１０には、実施の形態１の指標４１の配置位置が二点鎖線で示されている。
周縁遮光部３２は、従来の表示装置が備える透光板に設けられている遮光部と略同様である。従って、周縁遮光部３２は、表示部１４の非表示領域１４ｂを覆う。従来の遮光部との差異は、周縁遮光部３２には各４個の切り欠き状部３２１，３２１，…及び切り欠き状部３２２，３２２，…が形成してあることである。
【００４９】
切り欠き状部３２１，３２１，…は夫々正方形状をなし、透光板１２の四隅部に配されている。各切り欠き状部３２１の２辺部は、実施の形態１の指標４１の配置位置の延長線上に位置している。各切り欠き状部３２１の２辺部（周縁部）は、夫々指標４２１として機能する。
切り欠き状部３２２，３２２，…は夫々長方形状をなし、透光板１２の四辺部に配されている。各切り欠き状部３２２は、透光板１２の一辺部の長さ方向中央部に配されている。切り欠き状部３２２の短手方向の長さは、切り欠き状部３２１の一辺の長さと同じである。切り欠き状部３２２の長辺部は、実施の形態１の指標４１の配置位置に位置している。切り欠き状部３２２の長辺部（周縁部）は、本実施の形態の指標４２２として機能する。
【００５０】
例えば透光板１２の右辺部に関し、作業者は、右上隅の切り欠き状部３２１に係る上下方向の指標４２１と、右側の切り欠き状部３２２に係る指標４２２と、右下隅の切り欠き状部３２１に係る上下方向の指標４２１とを用いて、養生部材５を位置決めする。
また、透光板１２の下辺部に関し、作業者は、左下隅の切り欠き状部３２１に係る左右方向の指標４２１と、下側の切り欠き状部３２２に係る指標４２２と、右下隅の切り欠き状部３２１に係る上下方向の指標４２１とを用いて、養生部材５を位置決めする。
【００５１】
透光板１２の背面側からの前側ユニットの検品は、切り欠き状部３２１，３２１，…及び切り欠き状部３２２，３２２，…夫々の形成位置で行なうことが可能である。しかしながら、これらが形成されていない位置では、透光板１２の背面側からの前側ユニットの検品は不可能である。
以上のような周縁遮光部３２、延いては指標４２１，４２２は、印刷によって容易に得られる。
【００５２】
ところで、実施の形態１の透光板１２には、枠状遮光部３１と透光板１２の周縁端との間に遮光性を有するものがない。故に、透光板１２の周縁端近傍の後面に入射した光が、透光板１２の内部を通って透光板１２の前面から外部へ出射する虞がある。即ち、光漏れが起きる虞がある。
一方、周縁遮光部３２は、実施の形態１の枠状遮光部３１から透光板１２の周縁端までを夫々覆う突設遮光部３２０，３２０，…が枠状遮光部３１の外縁の一部に突設されたものである、ともいえる。各突設遮光部３２０は、光漏れが起こり易い箇所に配してあればよい。従って、切り欠き状部３２１，３２１，…及び切り欠き状部３２２，３２２，…の形成位置及び個数は、本実施の形態の形成位置及び個数に限定されるものではない。
【００５３】
以上のような表示装置１は、透光板１２に指標４２１，４２２が設けてあるので、養生部材５の正確な位置決めを容易に行なうことができる。また、指標４２１，４２２を設ける際の位置決めは容易である。以上の結果、位置決めの労苦を省いて表示装置１の製造コストを低減することができる。
【００５４】
また、指標４２１，４２２を設けるために、従来の表示装置の構成要素に新たに何かを追加する必要がない。つまり、部材点数を抑制して表示装置１の製造コストを低減することができる。
【００５５】
更に、切り欠き状部３２１，３２１，…及び切り欠き状部３２２，３２２，…を通して、前側ユニットの検品を行なうことができる。この結果、歩留まりを向上させて表示装置１の製造コストを低減することができる。
更にまた、光漏れの抑制を奏することができる。
しかも、実施の形態１の表示装置１と同様に、外観品位及び防水性を向上させることができる。
【００５６】
（実施の形態  ３．）
図１１は、本発明の実施の形態３に係る表示装置１が備える指標４３１，４３２を説明するための拡大正面図である。図１１は、実施の形態２の図１０に対応する。ただし、図１１に示す透光板１２は、図１０に示す透光板１２の右半分に対応する。
本実施の形態の表示装置１は、実施の形態２の表示装置１と略同様の構成である。以下では、実施の形態２との差異について説明し、その他、実施の形態２に対応する部分には同一符号を付してそれらの説明を省略する。
【００５７】
本実施の形態の表示装置１が備える透光板１２には、実施の形態２の指標４２１，４２２に替えて、指標４３１，４３２が設けられている。このために、透光板１２には、実施の形態２の周縁遮光部３２に替えて、周縁遮光部３３が設けられている。
周縁遮光部３３は、周縁遮光部３２と略同様である。周縁遮光部３２との差異は、切り欠き状部３２１，３２１，…及び切り欠き状部３２２，３２２，…に替えて、開口３３１，３３１，…及び開口３３２，３３２，…が形成してあることである。
【００５８】
開口３３１，３３１，…は夫々Ｌ字状をなし、透光板１２の四隅部に対応して、透光板１２の周縁端から離隔して配されている。開口３３１，３３１，…は、実施の形態２の切り欠き状部３２１，３２１，…を狭めたものであり、指標４３１は実施の形態２の指標４２１が短くなったものである。
開口３３２，３３２，…は夫々長方形状をなし、透光板１２の四辺部に対応して、透光板１２の周縁端から離隔して配されている。開口３３２，３３２，…は実施の形態２の切り欠き状部３２２，３２２，…を狭めたものであり、指標４３２は実施の形態２の指標４２２に相当する。
以上のような周縁遮光部３３、延いては指標４３１，４３２は、印刷によって容易に得られる。
【００５９】
以上のような表示装置１は、透光板１２に指標４３１，４３２が設けてあるため、養生部材５の正確な位置決めを容易に行なうことができる。従って、位置決めの労苦を省いて表示装置１の製造コストを低減することができる。
更に、本実施の形態の指標４３１，４３２が設けてある場合、実施の形態１，２の指標４１，４２１，４２２が設けてある場合よりも、透光板１２の周縁部の遮光性を向上させることができる。何故ならば、透光板１２の周縁部において、周縁遮光部３３が印刷されていない領域の面積は、実施の形態１，２の枠状遮光部３１又は周縁遮光部３２が印刷されていない領域よりも極端に小さいからである。故に、指標４１，４２１，４２２が設けてあると表示部１４の周縁部への光漏れが特に問題となる場合には、指標４１，４２１，４２２に替えて指標４３１，４３２が設けてあると、光漏れを最小限とすることができる。
また、指標４３１，４３２を設けるために、従来の表示装置の構成要素に新たに何かを追加する必要がない。つまり、部材点数を抑制して表示装置１の製造コストを低減することができる。
【００６０】
しかも、実施の形態１の表示装置１と同様に、外観品位及び防水性を向上させることができる。
ただし、開口３３１，３３１，…及び開口３３２，３３２，…の面積は、切り欠き状部３２１，３２１，…及び切り欠き状部３２２，３２２，…の面積よりも小さいため、開口３３１，３３１，…及び開口３３２，３３２，…の形成位置で透光板１２の背面側からの前側ユニットの検品を行なうことは困難である。
本発明の実施の形態に係る周縁遮光部は、切り欠き状部及び開口を両方有していてもよい。
【００６１】
（実施の形態  ４．）
図１２は、本発明の実施の形態４に係る表示装置１が備える指標４４を説明するための拡大正面図である。図１２は、実施の形態１の図７に対応する。ただし、図１２に示す透光板１２は、図７に示す透光板１２の右半分に対応する。
本実施の形態の表示装置１は、実施の形態１の表示装置１と略同様の構成である。以下では、実施の形態１との差異について説明し、その他、実施の形態１に対応する部分には同一符号を付してそれらの説明を省略する。
【００６２】
実施の形態１の枠状遮光部３１は、外縁が指標４１として機能する。つまり、透光板１２に枠状遮光部３１が設けられていることによって、充填剤２１の充填のためのマスキング（養生）を精度よく行なうことができる。
ところが、枠状遮光部３１は、光漏れの抑制という点では不利になる虞がある。何故ならば、透光板１２に厚さがあるからである。
ここで、図９Ｂを参照しつつ、透光板１２の周縁部における遮光について説明する。
透光板１２を真正面から見た場合、透光板１２の周縁部は、枠状遮光部３１、充填剤２１、及びカバー１１の前面カバー１１１によって、隙間なく覆われている（即ち遮光されている）。
【００６３】
ところが、例えば透光板１２の左辺部を右斜め前から見た場合、枠状遮光部３１の外縁と充填剤２１の内周縁部との間から透光板１２の周縁部が見える。即ち、この部分に透光性を有する隙間がある。つまり、枠状遮光部３１の外縁と充填剤２１の内周縁部との間の遮光は、透光板１２に対する斜め方向の光に対しては十分ではないことがある。
そこで、透光性を有する隙間を可及的低減することが考えられる。
【００６４】
本実施の形態の表示装置１が備える透光板１２には、実施の形態１の指標４１に替えて、４個の指標４４，４４，…が設けられている。このために、透光板１２には、実施の形態１の枠状遮光部３１に替えて、枠状遮光部３４が設けられている。図１２には、実施の形態１の指標４１の配置位置が二点鎖線で示されている。
【００６５】
枠状遮光部３４は、実施の形態１の枠状遮光部３１と略同様であり、枠状遮光部３４の内縁の配置位置は、枠状遮光部３１の内縁の配置位置と同じである。また、枠状遮光部３４の外縁の四隅の配置位置は、枠状遮光部３１の外縁の四隅の配置位置と同じである。枠状遮光部３４の外縁の四隅は、指標４４，４４，…として機能する。枠状遮光部３４と枠状遮光部３１との差異は、枠状遮光部３４が、四隅を除いて枠状遮光部３１よりも太幅であることである。つまり、枠状遮光部３４の四隅を除く外縁は、枠状遮光部３１の外縁よりも透光板１２の周縁端側に位置している。
【００６６】
例えば透光板１２の右辺部に関し、作業者は、右上隅及び右下隅の指標４４，４４を用いて、養生部材５を位置決めする。
また、透光板１２の下辺部に関し、作業者は、左下隅及び右下隅の指標４４，４４を用いて、養生部材５を位置決めする。
以上のような枠状遮光部３４、延いては指標４４は、印刷によって容易に得られる。
【００６７】
枠状遮光部３４は、実施の形態１の枠状遮光部３１から透光板１２の周縁端までを夫々覆う突設遮光部３４０，３４０，…が枠状遮光部３１の外縁の一部に突設されたものである、ともいえる。各突設遮光部３４０は、光漏れが起こり易い箇所に配してあればよい。従って、枠状遮光部３４の外縁の四隅のみならず、周縁方向中央部にも指標４４が設けられていてもよい。
突設遮光部３４０は、透光板１２の周端までを完全に覆っているわけではないので、部分的にではあるが、透光板１２の背面側からの前側ユニットの検品を行なうことが可能である。
【００６８】
以上のような表示装置１は、透光板１２に指標４４，４４，…が設けてあるため、養生部材５の正確な位置決めを容易に行なうことができる。従って、位置決めの労苦を省いて表示装置１の製造コストを低減することができる。
また、指標４４を設けるために、従来の表示装置の構成要素に新たに何かを追加する必要がない。つまり、部材点数を抑制して表示装置１の製造コストを低減することができる。
【００６９】
更に、透光板１２における枠状遮光部３４の外縁と透光板１２の周縁端との間を通して、前側ユニットの検品を行なうことができる。この結果、歩留まりを向上させて表示装置１の製造コストを低減することができる。
更にまた、光漏れの抑制効果を奏することができる。
しかも、実施の形態１の表示装置１と同様に、外観品位及び防水性を向上させることができる。
【００７０】
本実施の形態１〜４においては、指標４１，４２１，４２２，４３１，４３２，４４（延いては枠状遮光部３１、周縁遮光部３２，３３、及び枠状遮光部３４）は透光板１２の背面に設けられているが、透光板１２の正面に設けられていてもよい。ただし、透光板１２の背面に設けられている方が、例えば他部材との衝突又は摩擦等による指標４１，４２１，４２２，４３１，４３２，４４の欠損、かすれ等が生じないとう利点がある。
カバー１１は枠状でなくてもよく、非透光性でなくてもよい。防水性が不要であれば、表示部１４は水密空間に収容されている必要はない。この場合、充填剤２１は透光板１２の正面とカバー１１の内周縁部の背面との間の周縁方向全周に亘って充填されている必要はない。
【００７１】
最後に、本発明の実施の形態についてまとめる。
【００７２】
本発明に係る表示装置１は、表示部１４と、表示部１４を正面側から覆う透光板１２と、透光板１２の周縁部を正面側から覆うカバー１１とを備える表示装置１において、透光板１２の正面とカバー１１の内周縁部の背面との間の空隙Ｓの少なくとも一部には充填剤２１が充填してあり、透光板１２の一面には充填剤２１の充填位置に対応する位置を示す指標４１，４２１，４２２，４３１，４３２，４４が設けてあることを特徴とする。
【００７３】
本発明に係る表示装置１は、表示部１４は、表示領域１４ａ及び表示領域１４ａを囲繞する非表示領域１４ｂを有し、透光板１２の周縁部の一面には、非表示領域１４ｂの内周縁部を覆う枠状遮光部３１，３４が、透光板１２の周縁端から離隔して設けられており、指標４１，４４は、枠状遮光部３１，３４の外縁の少なくとも一部を含んでいることを特徴とする。
【００７４】
本発明に係る表示装置１は、表示部１４は、表示領域１４ａ及び表示領域１４ａを囲繞する非表示領域１４ｂを有し、透光板１２の周縁部の一面には、非表示領域１４ｂを覆う周縁遮光部３２，３３が設けてあり、周縁遮光部３２，３３には、複数個の切り欠き状部３２１，３２２又は開口３３１，３３２が形成してあり、指標４１，４２１，４２２，４３１，４３２，４４は、切り欠き状部３２１，３２２の周縁部又は開口３３１，３３２の周縁部を含んでいることを特徴とする。
【００７５】
本発明に係る表示装置１は、透光板１２は多角形状をなし、指標４１，４２１，４３１，４４は、透光板１２の少なくとも隅部に対応して配されていることを特徴とする。
【００７６】
本発明に係る表示装置１の製造方法は、本発明に係る表示装置１の製造方法において、透光板１２の一面に指標４１，４２１，４２２，４３１，４３２，４４を印刷する工程と、養生部材５を、指標４１，４２１，４２２，４３１，４３２，４４を用いて位置決めした上で、透光板１２の正面に取り付ける工程と、透光板１２の正面を、カバー１１で覆う工程と、透光板１２の正面とカバー１１の内周縁部の背面との間の空隙Ｓに充填剤２１を充填する工程と、養生部材５を取り外す工程とを備えることを特徴とする。
【００７７】
本発明にあっては、表示装置を製造する作業者は、透光板の正面に養生部材を取り付ける際に、透光板の一面に設けられている指標を用いて、養生部材の位置決めを行なう。従って、養生部材の正確な位置決めが容易である。
次いで、作業者は、透光板の正面とカバーの内周縁部の背面との間の空隙に、充填剤を充填する。このときに、透光板の正面とカバーの内周縁部の背面との間の空隙から防水剤が食み出ても、食み出た防水剤は養生部材に付着する。
その後、作業者は、透光板から養生部材を取り外す。この結果、防水剤が付着していない透光板が容易に得られる。
【００７８】
表示装置においては、指標と、充填剤の充填位置とが対応する位置にある。
指標は印刷によって設けられる。従って、指標の位置決めは容易である。
【００７９】
本発明にあっては、表示装置は枠状遮光部を更に備える。
従来の遮光部は、透光板の周縁部の一面に全面的に設けられているが、枠状遮光部は、透光板の周縁端から離隔している。つまり、枠状遮光部は、従来の遮光部の外周縁部を省略したものに相当する。
指標には、枠状遮光部の外縁の少なくとも一部が含まれている。換言すれば、従来の表示装置の構成要素に新たに何かを追加することによって指標を設けるのではなく、従来の透光板に設けられている遮光部の形状及び形成範囲等を変更することによって、透光板に指標を設けている。この結果、部品点数を低減して製造コストの低減を図ることができる。
【００８０】
本発明にあっては、表示装置は周縁遮光部を更に備える。
周縁遮光部は、従来の遮光部に切り欠き状部又は開口が設けられたものに相当する。
指標には、切り欠き状部の周縁部又は開口の周縁部が含まれている。換言すれば、従来の表示装置の構成要素に新たに何かを追加することなく透光板に指標を設けている。この結果、部品点数を低減して製造コストの低減を図ることができる。
切り欠き状部又は開口の大きさが十分に小さいか、又は、光漏れが起こり難い箇所に形成してあれば、周縁遮光部は、光漏れの発生を抑制することができる。
【００８１】
本発明にあっては、指標は、多角形状の透光板の少なくとも隅部に対応して配されている。即ち、指標が設けられている範囲は必要最小限である。
表示装置が完成した後は、指標そのものが表示装置における表示に貢献することはないので、必要最小限の範囲に指標を設けることによって、指標を無駄に大きく設けることによる製造コストの増大を抑制することができる。
【００８２】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、表示装置１に、実施の形態１〜３に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００８３】
１      表示装置
１１    カバー
１２    透光板
１４    表示部
２１    充填剤
３１，３４  枠状遮光部
３２，３３  周縁遮光部
３２１，３２２  切り欠き状部
３３１，３３２  開口
４１，４２１，４２２，４３１，４３２，４４  指標
５      養生部材
【図１】
2016009073.tif 000003
【図２】
2016009073.tif 000004
【図３】
2016009073.tif 000005
【図４】
2016009073.tif 000006
【図５】
2016009073.tif 000007
【図６】
2016009073.tif 000008
【図７】
2016009073.tif 000009
【図８】
2016009073.tif 000010
【図９】
2016009073.tif 000011
【図１０】
2016009073.tif 000012
【図１１】
2016009073.tif 000013
【図１２】
2016009073.tif 000014